【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
音声信号の低域成分、前記音声信号の高域成分の包絡を示す包絡情報、並びに前記高域成分に含まれる正弦波成分の周波数および出現位置を特定するための正弦波情報を抽出する抽出部と、
前記低域成分としての低域信号と前記包絡情報とに基づいて、前記高域成分を構成する擬似高域信号を生成する擬似高域生成部と、
前記正弦波情報により示される周波数であり、かつ前記正弦波情報から特定される前記出現位置を開始位置とする正弦波信号を生成する正弦波生成部と、
前記低域信号、前記擬似高域信号、および前記正弦波信号を合成して音声信号を生成する合成部と
を備える信号処理装置。
【請求項２】
前記正弦波情報には、前記高域成分のフレームの開始位置から、前記正弦波成分の出現開始位置までの距離を示す情報が、前記出現位置を特定するための情報として含まれている
請求項１に記載の信号処理装置。
【請求項３】
ノイズ包絡情報により示されるノイズ境界位置で分割された各区間について、所定の信号の前記区間を、前記ノイズ包絡情報により示される前記区間のゲインを示す情報に基づいてゲイン調整することで、前記高域成分を構成するノイズ信号を生成するノイズ生成部をさらに備え、
前記抽出部は、前記ノイズ包絡情報をさらに抽出し、
前記正弦波情報には、前記ノイズ境界位置から、前記正弦波成分の出現開始位置までの距離を示す情報が、前記出現位置を特定するための情報として含まれており、
前記合成部は、前記低域信号、前記擬似高域信号、前記正弦波信号、および前記ノイズ信号を合成して音声信号を生成する
請求項１に記載の信号処理装置。
【請求項４】
前記正弦波情報には、前記高域成分の包絡のピーク位置から、前記正弦波成分の出現開始位置までの距離を示す情報が、前記出現位置を特定するための情報として含まれている
請求項１に記載の信号処理装置。
【請求項５】
前記正弦波情報は、フレームごとに抽出され、前記正弦波生成部は、前記高域成分のフレームごとに、前記正弦波信号を生成する
請求項１に記載の信号処理装置。
【請求項６】
前記正弦波情報は、前記高域成分を構成する帯域ごとに抽出され、前記正弦波生成部は、前記帯域ごとに、前記正弦波信号を生成する
請求項１に記載の信号処理装置。
【請求項７】
音声信号の低域成分、前記音声信号の高域成分の包絡を示す包絡情報、並びに前記高域成分に含まれる正弦波成分の周波数および出現位置を特定するための正弦波情報を抽出する抽出部と、
前記低域成分としての低域信号と前記包絡情報とに基づいて、前記高域成分を構成する擬似高域信号を生成する擬似高域生成部と、
前記正弦波情報により示される周波数であり、かつ前記正弦波情報から特定される前記出現位置を開始位置とする正弦波信号を生成する正弦波生成部と、
前記低域信号、前記擬似高域信号、および前記正弦波信号を合成して音声信号を生成する合成部と
を備える信号処理装置の信号処理方法であって、
前記抽出部が、前記低域成分、前記包絡情報、および前記正弦波情報を抽出し、
前記擬似高域生成部が、前記擬似高域信号を生成し、
前記正弦波生成部が、前記正弦波信号を生成し、
前記合成部が、前記低域信号、前記擬似高域信号、および前記正弦波信号を合成して音声信号を生成する
ステップを含む信号処理方法。
【請求項８】
音声信号の低域成分、前記音声信号の高域成分の包絡を示す包絡情報、並びに前記高域成分に含まれる正弦波成分の周波数および出現位置を特定するための正弦波情報を抽出し、
前記低域成分としての低域信号と前記包絡情報とに基づいて、前記高域成分を構成する擬似高域信号を生成し、
前記正弦波情報により示される周波数であり、かつ前記正弦波情報から特定される前記出現位置を開始位置とする正弦波信号を生成し、
前記低域信号、前記擬似高域信号、および前記正弦波信号を合成して音声信号を生成する
ステップを含む処理をコンピュータに実行させるプログラム。
【請求項９】
音声信号の高域成分である高域信号の包絡を示す包絡情報を生成する包絡情報生成部と、
前記高域信号に含まれる正弦波信号を検出し、前記正弦波信号の周波数および出現位置を特定するための正弦波情報を生成する正弦波情報生成部と、
前記音声信号の低域成分である低域信号、前記包絡情報、および前記正弦波情報からなるデータを生成して出力する出力部と
を備える信号処理装置。
【請求項１０】
前記正弦波情報には、前記高域成分のフレームの開始位置から、前記正弦波信号の出現開始位置までの距離を示す情報が、前記出現位置を特定するための情報として含まれている
請求項９に記載の信号処理装置。
【請求項１１】
前記高域信号に含まれるノイズ信号を検出し、前記ノイズ信号をいくつかの区間に分割するノイズ境界位置を示す情報と、前記区間における前記ノイズ信号のゲインを示す情報とからなるノイズ包絡情報を生成するノイズ包絡情報生成部をさらに備え、
前記正弦波情報には、前記ノイズ境界位置から、前記正弦波成分の出現開始位置までの距離を示す情報が、前記出現位置を特定するための情報として含まれており、
前記出力部は、前記低域信号、前記包絡情報、前記正弦波情報、および前記ノイズ包絡情報からなるデータを生成して出力する
請求項９に記載の信号処理装置。
【請求項１２】
前記正弦波情報には、前記高域成分の包絡のピーク位置から、前記正弦波成分の出現開始位置までの距離を示す情報が、前記出現位置を特定するための情報として含まれている
請求項９に記載の信号処理装置。
【請求項１３】
前記正弦波情報は、フレームごとに生成される
請求項９に記載の信号処理装置。
【請求項１４】
前記正弦波情報は、前記高域成分を構成する帯域ごとに生成される
請求項９に記載の信号処理装置。
【請求項１５】
音声信号の高域成分である高域信号の包絡を示す包絡情報を生成する包絡情報生成部と、
前記高域信号に含まれる正弦波信号を検出し、前記正弦波信号の周波数および出現位置を特定するための正弦波情報を生成する正弦波情報生成部と、
前記音声信号の低域成分である低域信号、前記包絡情報、および前記正弦波情報からなるデータを生成して出力する出力部と
を備える信号処理装置の信号処理方法であって、
前記包絡情報生成部が、前記包絡情報を生成し、
前記正弦波情報生成部が、前記正弦波情報を生成し、
前記出力部が、前記低域信号、前記包絡情報、および前記正弦波情報からなるデータを生成して出力する
ステップを含む信号処理方法。
【請求項１６】
音声信号の高域成分である高域信号の包絡を示す包絡情報を生成し、
前記高域信号に含まれる正弦波信号を検出し、前記正弦波信号の周波数および出現位置を特定するための正弦波情報を生成し、
前記音声信号の低域成分である低域信号、前記包絡情報、および前記正弦波情報からなるデータを生成して出力する
ステップを含む処理をコンピュータに実行させるプログラム。
【請求項１７】
音声信号の低域成分である低域信号を復号する低域復号部と、
音声信号の高域成分である高域信号の包絡を示す包絡情報を復号する包絡情報復号部と、
前記高域信号に含まれる正弦波の周波数および出現位置を特定するための正弦波情報を復号する正弦波情報復号部と、
前記復号された低域信号と前記復号された包絡情報とから疑似高域信号を生成する疑似高域信号生成部と、
前記復号された正弦波情報から正弦波信号を生成する正弦波信号生成部と、
前記復号された低域信号と、前記疑似高域信号と、前記正弦波信号とから出力音声信号を生成する音声信号生成部と
を備える信号処理装置。
【請求項１８】
前記正弦波情報には、前記高域成分のフレームの開始位置から、前記正弦波信号の出現開始位置までの距離を示す情報が、前記出現位置を特定するための情報として含まれている
請求項１７に記載の信号処理装置。
【請求項１９】
前記高域信号に含まれるノイズ信号をいくつかの区間に分割したノイズ境界位置を示す情報と、前記区間における前記ノイズ信号のゲインを示す情報とからなるノイズ包絡情報を復号するノイズ包絡情報復号部をさらに備え、
前記疑似高域信号生成部は、前記復号された低域信号と、前記復号された包絡情報と、前記復号されたノイズ包絡情報とから疑似高域信号を生成する
請求項１７に記載の信号処理装置。
【請求項２０】
前記正弦波情報は、前記高域成分を構成する帯域ごとに生成される
請求項１７に記載の信号処理装置。
【請求項２１】
音声信号の低域成分である低域信号を復号する低域復号部と、
音声信号の高域成分である高域信号の包絡を示す包絡情報を復号する包絡情報復号部と、
前記高域信号に含まれる正弦波の周波数および出現位置を特定するための正弦波情報を復号する正弦波情報復号部と、
前記復号された低域信号と前記復号された包絡情報とから疑似高域信号を生成する疑似高域信号生成部と、
前記復号された正弦波情報から正弦波信号を生成する正弦波信号生成部と、
前記復号された低域信号と、前記疑似高域信号と、前記正弦波信号とから出力音声信号を生成する音声信号生成部と
を備える信号処理装置の信号処理方法であって、
前記低域復号部が前記低域信号を復号し、
前記包絡情報復号部が前記包絡情報を復号し、
前記正弦波情報復号部が前記正弦波情報を復号し、
前記疑似高域信号生成部が前記疑似高域信号を生成し、
前記正弦波信号生成部が前記正弦波信号を生成し、
前記音声信号生成部が前記出力音声信号を生成する
ステップを含む信号処理方法。
【請求項２２】
音声信号の低域成分である低域信号を復号し、
音声信号の高域成分である高域信号の包絡を示す包絡情報を復号し、
前記高域信号に含まれる正弦波の周波数および出現位置を特定するための正弦波情報を復号し、
前記復号された低域信号と前記復号された包絡情報とから疑似高域信号を生成し、
前記復号された正弦波情報から正弦波信号を生成し、
前記復号された低域信号と、前記疑似高域信号と、前記正弦波信号とから出力音声信号を生成する
ステップを含む処理をコンピュータに実行させるプログラム。
【手続補正２】
【補正対象書類名】明細書
【補正対象項目名】００２９
【補正方法】変更
【補正の内容】
【００２９】
本発明の第２の側面においては、音声信号の高域成分である高域信号の包絡を示す包絡情報が生成され、前記高域信号に含まれる正弦波信号が検出され、前記正弦波信号の周波数および出現位置を特定するための正弦波情報が生成され、前記音声信号の低域成分である低域信号、前記包絡情報、および前記正弦波情報からなるデータが生成されて出力される。
本発明の第３の側面の信号処理装置は、音声信号の低域成分である低域信号を復号する低域復号部と、音声信号の高域成分である高域信号の包絡を示す包絡情報を復号する包絡情報復号部と、前記高域信号に含まれる正弦波の周波数および出現位置を特定するための正弦波情報を復号する正弦波情報復号部と、前記復号された低域信号と前記復号された包絡情報とから疑似高域信号を生成する疑似高域信号生成部と、前記復号された正弦波情報から正弦波信号を生成する正弦波信号生成部と、前記復号された低域信号と、前記疑似高域信号と、前記正弦波信号とから出力音声信号を生成する音声信号生成部とを備える。
前記正弦波情報には、前記高域成分のフレームの開始位置から、前記正弦波信号の出現開始位置までの距離を示す情報が、前記出現位置を特定するための情報として含まれているようにすることができる。
信号処理装置には、前記高域信号に含まれるノイズ信号をいくつかの区間に分割したノイズ境界位置を示す情報と、前記区間における前記ノイズ信号のゲインを示す情報とからなるノイズ包絡情報を復号するノイズ包絡情報復号部をさらに設け、前記疑似高域信号生成部には、前記復号された低域信号と、前記復号された包絡情報と、前記復号されたノイズ包絡情報とから疑似高域信号を生成させることができる。
前記正弦波情報を、前記高域成分を構成する帯域ごとに生成させることができる。
本発明の第３の側面の信号処理方法またはプログラムは、音声信号の低域成分である低域信号を復号し、音声信号の高域成分である高域信号の包絡を示す包絡情報を復号し、前記高域信号に含まれる正弦波の周波数および出現位置を特定するための正弦波情報を復号し、前記復号された低域信号と前記復号された包絡情報とから疑似高域信号を生成し、前記復号された正弦波情報から正弦波信号を生成し、前記復号された低域信号と、前記疑似高域信号と、前記正弦波信号とから出力音声信号を生成するステップを含む。
本発明の第３の側面においては、音声信号の低域成分である低域信号が復号され、音声信号の高域成分である高域信号の包絡を示す包絡情報が復号され、前記高域信号に含まれる正弦波の周波数および出現位置を特定するための正弦波情報が復号され、前記復号された低域信号と前記復号された包絡情報とから疑似高域信号が生成され、前記復号された正弦波情報から正弦波信号が生成され、前記復号された低域信号と、前記疑似高域信号と、前記正弦波信号とから出力音声信号が生成される。
【手続補正３】
【補正対象書類名】明細書
【補正対象項目名】００３０
【補正方法】変更
【補正の内容】
【００３０】
本技術の第１の側面乃至第３の側面によれば、音声信号を復号する場合に、より高音質な音声を得ることができる。